(57)【要約】【課題】高さ調整が容易で、支持安定性に優れた安価な外流し槽及び外流し台を提供する。【解決手段】基体１は、一面に流し用凹部３を有するとともに、流し用凹部３に開口する排水孔４を有している。取り付け用孔２１〜２４のそれぞれは、基体１の一面とは反対側の外底面に互いに独立して設けられている。外流し槽５は、棒状部材６１〜６４と組み合わされて、外流し台を構成する。棒状部材６１〜６４は、外流し槽５の取り付け用孔２１〜２４と同数であって、一端が取り付け用孔２１〜２４内に嵌め込まれる。【選択図】    図４
2004218297.tif 000002
【特許請求の範囲】
【請求項１】
基体と、複数の取り付け用孔とを含む外流し槽であって、
前記基体は、一面に流し用凹部を有するとともに、前記流し用凹部に開口する排水孔を有しており、
前記取り付け用孔のそれぞれは、前記基体の前記一面とは反対側の外底面に互いに独立して設けられている
外流し槽。
【請求項２】
外流し槽と、棒状部材とを含む外流し台であって、
前記外流し槽は、請求項１に記載されたものでなり、
前記棒状部材は、前記外流し槽の前記取り付け用孔と同数であって、一端が前記取り付け用孔内に嵌め込まれている
外流し台。
【発明の詳細な説明】
【０００１】
【発明の属する技術分野】
本発明は、屋外に設置される外流し槽及び外流し台に関する。
【０００２】
【従来の技術】
屋外に設置される外流し台は、外流し槽を地面に直置きにする場合もあるが、一般には、外流し架台として、コンクリートブロックなどを置き、その上面に外流し槽を載せる場合が多い。
【０００３】
ところが、外流し架台としてコンクリートブロックなどを用いた場合は、外流し槽の高さを、適切な寸法に合わせることは、必ずしも容易ではない。なぜなら、高さ調整が、コンクリートブロックの厚み毎に、段階的になるからである。
【０００４】
しかも、外流し槽が、水平方向に、簡単に位置ずれを起こし、場合によっては、コンクリートブロックからずれ落ちてしまうこともあった。外流し槽がずれ落ちないようにするためには、外流し槽の周辺をモルタルで固める必要があるため、家庭用として据え付けるのに、その都度工事を行なう必要があり、非常に煩雑であった。
【０００５】
【発明が解決しようとする課題】
本発明の課題は、高さ調整の容易な外流し槽及び外流し台を提供することである。
【０００６】
本発明のもう一つの課題は、支持安定性に優れた外流し槽及び外流し台を提供することである。
【０００７】
本発明の更にもう一つの課題は、安価な流し台を提供することである。
【０００８】
【課題を解決するための手段】
上述した課題を解決するため、本発明に係る外流し槽は、基体と、複数の取り付け用孔とを含む。前記基体は、一面に流し用凹部を有するとともに、前記流し用凹部に開口する排水孔を有している。前記取り付け用孔のそれぞれは、前記基体の前記一面とは反対側の外底面に互いに独立して設けられている。
【０００９】
本発明に係る外流し槽は、棒状部材と組み合わされて、外流し台を構成する。前記棒状部材は、前記外流し槽の前記取り付け用孔と同数であって、一端が前記取り付け用孔内に嵌め込まれる。
【００１０】
ここで、本発明に係る外流し槽は、基体を含んでおり、基体は、一面に流し用凹部を有するとともに、流し用凹部に開口する排水孔を有しているから、一面側が上になるように設置することにより、流し用凹部を洗い場として用い、排水孔から排水できる。
【００１１】
また、本発明に係る外流し槽は、複数の取り付け用孔を含んでおり、取り付け用孔のそれぞれは、基体の一面とは反対側の外底面に互いに独立して設けられているから、取り付け用孔の内部に棒状部材の一端を差込み、棒状部材の長さを調節することにより、その高さを容易に調整することができる。
【００１２】
しかも、架台となる棒状部材は、取り付け用孔の内部に差込まれるから、外流し槽と架台との間の位置ずれを阻止し、外流し槽を安定に支持し得る。
【００１３】
更に、棒状部材は、管材、棒材などを適当な長さに切り揃えた上で、その一端を取り付け用孔に嵌め込むだけでよいので、組立てコスト、及び、部材コストが安価に済み、全体として、安価な流し台を提供することができる。
【００１４】
本発明の他の目的、構成及び利点については、添付図面を参照して、更に詳しく説明する。図面は、単なる例示に過ぎない。
【００１５】
【発明の実施の形態】
図１は本発明に係る外流し槽の平面図、図２は図１の２−２線に沿った断面図、図３は図１の３−３線に沿った断面図である。図示された外流し槽は、基体１と、４個の取り付け用孔２１〜２４とを含む。基体１は、一面に流し用凹部３を有するとともに、流し用凹部３に開口する排水孔４を有している。基体１は、以前はコンクリート系のものがよく用いられたが、最近はプラスチック系のものが主流となっている。図は、プラスチック系の基体１を示す。基体１は、四周の立ち上がり壁１１と、底板１２とを有している。排水孔４は、底板１２に突設された排水管４１によって構成されている。底板１２の外底面には、補強用リブ１３が適当な形態、及び、数で設けられている。
【００１６】
取り付け用孔２１〜２４のそれぞれは、基体１の流し用凹部３のある一面とは反対側の外底面に互いに独立して設けられている。図示実施例では、取り付け用孔２１〜２４は、外底面の４隅部に設けられており、それぞれは、内径が円径の段付孔となっている。取り付け用孔２１〜２４は、角孔であってもよい。また、３個程度であってもよい。
【００１７】
図４は本発明に係る外流し台の正面部分断面図である。図において、図１〜図３に表れた構成部分と同一の構成部分については、同一の参照符号を付してある。図示された外流し台は、外流し槽５と、棒状部材６１〜６４とを含む。外流し槽５は図１〜図３に示した本発明に係る外流し槽である。
【００１８】
棒状部材６１〜６４は、外流し槽５の取り付け用孔２１〜２４と同数であって、一端が取り付け用孔２１〜２４内に嵌め込まれている。嵌め込み手段としては、圧入または接着剤による接着などを用いることができる。棒状部材６１〜６４は、中空管材、ムク棒材などを用いて構成することができる。当然のことであるが、棒状部材６１〜６４の外形形状は、取り付け用孔２１〜２４の孔形に対応させる。
【００１９】
本発明に係る外流し槽５は、図１〜図３を参照して説明したように、基体１を含んでおり、基体１は、一面に流し用凹部３を有するとともに、流し用凹部３に開口する排水孔４を有しているから、流し用凹部３のある一面側が上になるように設置することにより、流し用凹部３を洗い場として用い、排水孔４から排水できる。図示はされていないが、排水孔４を構成する排水管４１には、他の排水管が接続される。
【００２０】
また、本発明に係る外流し槽５は、複数の取り付け用孔２１〜２４を含んでおり、取り付け用孔２１〜２４のそれぞれは、基体１の一面とは反対側の外底面に互いに独立して設けられているから、取り付け用孔２１〜２４の内部に棒状部材６１〜６４などを差込み、棒状部材６１〜６４の長さＬ１を調節することにより、流し台としての高さＨ１を容易に調整することができる。
【００２１】
しかも、架台となる棒状部材６１〜６４は、取り付け用孔２１〜２４の内部に差込まれるから、外流し槽５の位置ずれを阻止し、外流し槽５を安定に支持し得る。
【００２２】
更に、棒状部材６１〜６４は、管材、棒材などを適当な長さに切り揃えた上で、その一端を取り付け用孔２１〜２４に嵌め込むだけでよいので、組立てコスト、及び、部材コストが安価に済み、全体として、安価な流し台を提供することができる。
【００２３】
【発明の効果】
以上述べたように、本発明によれば、次のような効果を得ることができる。
（ａ）高さ調整の容易な外流し槽及び外流し台を提供することができる。
（ｂ）支持安定性に優れた外流し槽及び外流し台を提供することができる。
（ｃ）安価な流し台を提供することができる。
【図面の簡単な説明】
【図１】本発明に係る外流し槽の平面図である。
【図２】図１の２−２線に沿った断面図である。
【図３】図１の３−３線に沿った断面図である。
【図４】本発明に係る外流し台の正面部分断面図である。
【符号の説明】
１                        基体
２１〜２４                取り付け用孔
６１〜６４                棒状部材
【図１】
2004218297.tif 000003
【図２】
2004218297.tif 000004
【図３】
2004218297.tif 000005
【図４】
2004218297.tif 000006